(57)【要約】【課題】皿受部に餌皿を着脱可能に係止させることができ、かつ、鳥が餌皿を突いても皿受部から離間させないようにすることができる鳥用給餌具を提供すること。【解決手段】短筒部７を有する皿受部２と、有底で短筒部７の内径よりも小さい外径の筒状部１１を有する餌皿部３と、を備え、短筒部７と嵌合される嵌合部１２と、嵌合部１２よりも大径とされて短筒部７に係止される鍔部１３と、が、筒状部１１の径方向外方に順次段状に拡径されて配され、嵌合部１２の中心軸線Ｃ方向長さが、短筒部７の中心軸線Ｃ方向長さよりも短いことを特徴とする。【選択図】図２
2010213647.tif 000002
【特許請求の範囲】
【請求項１】
短筒部を有する皿受部と、
有底で前記短筒部の内径よりも小さい外径の筒状部を有する餌皿部と、
を備え、
前記短筒部と嵌合される嵌合部と、該嵌合部よりも大径とされて前記短筒部に係止される鍔部と、が、前記筒状部の径方向外方に順次段状に拡径されて配され、
前記嵌合部の中心軸線方向長さが、前記短筒部の中心軸線方向長さよりも短いことを特徴とする鳥用給餌具。
【請求項２】
前記筒状部と前記嵌合部との間に形成された段部が面取りされていることを特徴とする請求項１に記載の鳥用給餌具。
【請求項３】
突部が配された支持台部と、
前記突部が挿入される挿入穴が配された止まり木部と、
を備え、
前記突部が回動可能に貫通する貫通孔が配された腕部を前記皿受部が備え、
前記貫通孔に前記突部が貫通した状態で前記挿入穴に前記突部が挿入されることを特徴とする請求項１又は２に記載の鳥用給餌具。
【発明の詳細な説明】
【技術分野】
【０００１】
本発明は、鳥用給餌具に関する。
【背景技術】
【０００２】
鳥かご内の鳥に給餌する場合、通常は鳥かごに取り付けた餌皿内に餌を入れて給餌している。また、鳥かごを使用しないで、例えば、鳥かごから鳥を室内に取り出して止まり木に止まらせておく場合には、止まり木そのものやその周辺に餌皿を固定させている。
【０００３】
鳥かごに餌皿を取り付ける場合、鳥が餌皿を突いても餌皿が鳥かごの枠から外れないように様々な工夫がなされた鳥用給餌具が種々提案されている。例えば、餌皿そのものが枠に固定されているものがある。この場合、餌皿に餌を適宜補給する必要があることから、給餌しやすい鳥かごの開閉扉に餌皿が固定される場合が多い。
【０００４】
また、餌皿そのものを鳥かごから取り出して給餌する場合には、皿受部を介して餌皿を鳥かごに固定させるものがある（例えば、特許文献１参照。）。この場合、皿受部から餌皿が外れないように餌皿が皿受部に着脱可能に係止されている。
【０００５】
一方、鳥かごの代わりに止まり木に餌皿を固定させる場合には、餌皿の清掃の手間等を考慮して皿受部に餌皿を着脱可能に係止させておくことがある。
【先行技術文献】
【特許文献】
【０００６】
【特許文献１】実開昭５８−９１２７８号公報
【発明の概要】
【発明が解決しようとする課題】
【０００７】
しかしながら、餌皿を鳥かごに固定した場合、餌補給の都度、開閉扉を開閉することになってしまい煩雑になってしまう。また、皿受部に餌皿を係止させた場合、鳥がくちばしで皿受部と餌皿との間を餌皿の底側から突いた場合には、餌皿が皿受部から離れてしまって餌が飛散してしまう可能性がある。特に、鳥かごから鳥を出して止まり木に止まらせておく際に、餌皿が皿受部から外れることは、その後、周囲の清掃が大変である。
【０００８】
本発明は上記事情に鑑みて成されたものであり、皿受部に餌皿を着脱可能に係止させることができ、かつ、鳥が餌皿を突いても皿受部から離間させないようにすることができる鳥用給餌具を提供することを目的とする。
【課題を解決するための手段】
【０００９】
本発明は、上記課題を解決するため、以下の手段を採用する。
本発明に係る鳥用給餌具は、短筒部を有する皿受部と、有底で前記短筒部の内径よりも小さい外径の筒状部を有する餌皿部と、を備え、前記短筒部と嵌合される嵌合部と、該嵌合部よりも大径とされて前記短筒部に係止される鍔部と、が、前記筒状部の径方向外方に順次段状に拡径されて配され、前記嵌合部の中心軸線方向長さが、前記短筒部の中心軸線方向長さよりも短いことを特徴とする。
【００１０】
この発明は、短筒部と嵌合部とを嵌合させて餌皿部が取り付けられるので、餌皿部は短筒部の中心軸線方向のみ取り外しができる。そのため、鳥が餌皿部を突いても斜め方向への皿受部からの離脱を好適に抑えることができる。また、嵌合部の中心軸線方向長さが、短筒部の中心軸線方向長さよりも短いので、餌皿部の皿受部への装着を容易に行うことができる。この際、嵌合部が短筒部内に隠れることになり、このときの皿受部と餌皿部との隙間は、短筒部と筒状部との隙間しかないので、鳥がくちばしを入れて嵌合部を押し上げることができず、皿受部からの餌皿部の離脱を好適に抑えることができる。
【００１１】
また、本発明に係る鳥用給餌具は、前記鳥用給餌具であって、前記筒状部と前記嵌合部との間に形成された段部が面取りされていることを特徴とする。
この発明は、短筒部に対して餌皿部の出し入れを容易にすることができる。
【００１２】
また、本発明に係る鳥用給餌具は、前記鳥用給餌具であって、突部が配された支持台部と、前記突部が挿入される挿入穴が配された止まり木部と、を備え、前記突部が回動可能に貫通する貫通孔が配された腕部を前記皿受部が備え、前記貫通孔に前記突部が貫通した状態で前記挿入穴に前記突部が挿入されることを特徴とする。
【００１３】
この発明は、貫通孔に突部が貫通した状態で挿入穴に突部が挿入されることによって、止まり木部にて皿受部の腕部を支持台部に回動可能に支持させることができる。また、鳥を止まり木部に留ませた際、その重みで餌皿部を支持台部により確実に固定させることができる。
【発明の効果】
【００１４】
本発明によれば、皿受部に餌皿を着脱可能に係止させることができ、かつ、鳥が餌皿を突いても皿受部から離間させないようにすることができる。
【図面の簡単な説明】
【００１５】
【図１】本発明の一実施形態に係る鳥用給餌具を示す斜視図である。
【図２】本発明の一実施形態に係る鳥用給餌具を示す一部断面側面図である。
【図３】本発明の一実施形態に係る鳥用給餌具の皿受部を示す平面図である。
【図４】本発明の一実施形態に係る鳥用給餌具の皿受部を示す側面図である。
【図５】本発明の一実施形態に係る鳥用給餌具の餌皿部を示す側面図である。
【図６】図５のVI−VI断面図である。
【発明を実施するための形態】
【００１６】
本発明に係る一実施形態について、図１から図６を参照して説明する。
本実施形態に係る鳥用給餌具１は、図１及び図２に示すように、皿受部２と、餌皿部３と、支持台部５と、止まり木部６と、を備えている。
【００１７】
皿受部２は、例えば、ステンレス製とされ、図３及び図４に示すように、短筒部７と、一端側に短筒部７が配された腕部８と、中心軸線Ｃと平行な中心軸線Ｃ１を有する貫通孔１０ａが配されて腕部８の他端側に配された係合部１０と、を備えている。短筒部７は、高さ方向となる中心軸線Ｃ方向の長さ及び肉厚がそれぞれ略一定とされている。腕部８は、棒状に形成されている。係合部１０は筒状に形成され、外周面が腕部８の他端と接続されている。
【００１８】
餌皿部３は、例えば、ステンレス製とされ、図５及び図６に示すように、有底で短筒部７の内径よりも小さい外径の筒状部１１を備えている。この筒状部１１の端部には、短筒部７と嵌合される嵌合部１２と、嵌合部１２よりも大径とされて短筒部７端に係止される鍔部１３と、が、径方向外方に順次段状に拡径されて配されている。餌皿部３の底部は、鳥がくちばしで突いても引っ掛かりのないよう曲面形状となっている。
【００１９】
嵌合部１２の中心軸線Ｃ方向の長さは、短筒部７の中心軸線Ｃ方向長さよりも短くなっている。すなわち、嵌合部１２及び短筒部７は、嵌合部１２を短筒部７と嵌合させた際、嵌合部１２が短筒部７内に隠れるような高さになっている。筒状部１１と嵌合部１２との間に形成された第一段部（段部）１５Ａは、面取りされている。なお、短筒部７の端部、及び嵌合部１２と鍔部１３との間に形成された第二段部１５Ｂも、それぞれ面取りされていることが好ましい。
【００２０】
支持台部５には、図２に示すように、突部１６が配されている。この突部１６は、皿受部２の腕部８に配された係合部１０の貫通孔１０ａに回動可能に挿入される。突部１６は、貫通孔１０ａに挿入された状態で、さらに止まり木部６が装着可能な高さに形成されている。
【００２１】
止まり木部６は、鳥が足を乗せることができる程度の外径とされ、突部１６が挿入される挿入穴６ａが両端側にそれぞれ配されている。
【００２２】
本実施形態に係る鳥用給餌具１の組立の際には、皿受部２の係合部１０の貫通孔１０ａを支持台部５の突部１６に挿通し、さらに、止まり木部６の挿入穴６ａに突部１６を挿入する。こうして、支持台部５に皿受部２及び止まり木部６を装着する。そして、皿受部２の短筒部７に餌皿部３の筒状部１１を挿入するとともに、嵌合部１２と嵌合させ、短筒部７に鍔部１３を係止させる。
【００２３】
この鳥用給餌具１によれば、短筒部７と嵌合部１２とを嵌合させて餌皿部３が取り付けられるので、餌皿部３は短筒部７の中心軸線Ｃ方向のみ取り外しができる。そのため、鳥が餌皿部３を突いても斜め方向への皿受部２からの離脱を好適に抑えることができる。また、嵌合部１２の中心軸線Ｃ方向長さが、短筒部７の中心軸線Ｃ方向長さよりも短いので、餌皿部３の皿受部２への装着を容易に行うことができる。
【００２４】
この際、嵌合部１２が短筒部７内に隠れることになり、嵌合部１２が短筒部７内に隠れたときの皿受部２と餌皿部３との隙間は、短筒部７と筒状部１１との隙間しかないので、鳥がくちばしをこの隙間に入れても嵌合部１２を押し上げることができず、皿受部２からの餌皿部３の離脱を好適に抑えることができる。したがって、皿受部２に餌皿部３を着脱可能に係止させることができ、かつ、鳥が餌皿部３を突いても皿受部２から離間させないようにすることができる
【００２５】
また、第一段部１５Ａが面取りされているので、短筒部７に対して餌皿部３の出し入れをより容易に行うことができる。
【００２６】
さらに、係合部１０の貫通孔１０ａに支持台部５の突部１６が貫通した状態で、止まり木部６の挿入穴６ａに突部１６が挿入されるので、止まり木部６によって皿受部２の腕部８を支持台部５に回動可能に支持させることができる。また、鳥を止まり木部６に留ませた際、その重みで餌皿部３を支持台部５により確実に固定させることができる。
【００２７】
なお、本発明の技術範囲は上記実施の形態に限定されるものではなく、本発明の趣旨を逸脱しない範囲において種々の変更を加えることが可能である。
例えば、上記皿受部２等をステンレス製としているが、これに限らず、短筒部７や嵌合部１２の嵌め合い寸法を維持できれば、他の材質でも構わない。
【符号の説明】
【００２８】
１  鳥用給餌具
２  皿受部
３  餌皿部
５  支持台部
６  止まり木部
６ａ  貫通穴
７  短筒部
８  腕部
１０  係合部
１０ａ  貫通孔
１１  筒状部
１２  嵌合部
１３  鍔部
１５Ａ  第一段部（段部）
１６  突部
Ｃ  中心軸線
【図１】
2010213647.tif 000003
【図２】
2010213647.tif 000004
【図３】
2010213647.tif 000005
【図４】
2010213647.tif 000006
【図５】
2010213647.tif 000007
【図６】
2010213647.tif 000008